(57)【要約】【課題】  設備の管理者、利用者双方の手間を軽減でき、且つ複数箇所からの操作に対応可能な照明制御システムを提供する。【解決手段】  消灯時には、利用者は操作端末機３１〜３ｎのうちいずれかの操作端末機の入力部３ｃにて、ＩＤ情報を入力する、あるいはＩＤ情報記録媒体を投入し、点灯時と同様にＩＤ情報を通信部３ａから通信線Ｌを介して親機１へ送信する。親機１の判断部１ａでは、操作端末機３１〜３ｎいずれかから送信されたＩＤ情報を、照明器具４１の点灯操作をしたときに記憶したＩＤ情報と比較し、両者が同一であれば、点灯している照明器具４１が消灯するように、通信線Ｌを介して照明制御部２１を制御する。照明制御部２１は、親機１からの指示にしたがって照明器具４１を消灯させる。【選択図】図１
2006164619.tif 000002
【特許請求の範囲】
【請求項１】
事前に施設管理者に申請をして利用許可を得ている利用者がＩＤ情報登録媒体を投入する投入手段、またはＩＤ情報を入力する入力手段を具備した複数の操作端末機と、１乃至複数の照明器具を点灯・消灯させる１乃至複数の照明制御手段と、操作端末機の操作に応じて照明制御手段による照明器具の動作を制御する親機とを備えて、操作端末機、照明制御手段、親機は通信手段によって接続され、
親機は、利用者がいずれかの操作端末機でＩＤ情報登録媒体を投入し、またはＩＤ情報を入力して点灯操作を行なったときに所望の照明器具を点灯させ、点灯後に利用者がいずれかの操作端末機でＩＤ情報登録媒体を投入し、またはＩＤ情報を入力して消灯操作を行なったときに、点灯操作時のＩＤ情報と消灯操作時のＩＤ情報とが同一である場合に所望の照明器具を消灯させる判断部を備えることを特徴とする照明制御システム。
【請求項２】
複数の照明器具は、いずれかの照明器具を共有する複数のグループに分けられ、前記判断部は、１つのグループの照明器具が点灯しているときに、利用者がいずれかの操作端末機でＩＤ情報登録媒体を投入する、またはＩＤ情報を入力してから点灯操作を行なったときに、他のグループの照明器具を点灯させるか否かを判断することを特徴とする請求項１記載の照明制御システム。
【請求項３】
複数の照明器具は、いずれかの照明器具を共有する複数のグループに分けられ、前記判断部は、１乃至複数のグループの照明器具が点灯しているときに、利用者がいずれかの操作端末機でＩＤ情報登録媒体を投入する、またはＩＤ情報を入力してから消灯操作を行なったときに、点灯している照明器具のうち消灯させる照明器具を判断することを特徴とする請求項１または２記載の照明制御システム。
【請求項４】
事前に施設管理者に申請をして利用許可を得ている利用者がＩＤ情報登録媒体を投入する投入手段、またはＩＤ情報を入力する入力手段を具備した複数の操作端末機と、１乃至複数の照明器具を点灯・消灯させる１乃至複数の照明制御手段とを備えて、操作端末機、照明制御手段は通信手段によって接続され、
操作端末機または照明制御手段は、利用者がいずれかの操作端末機でＩＤ情報登録媒体を投入し、またはＩＤ情報を入力して点灯操作を行なったときに所望の照明器具を点灯させ、点灯後に利用者がいずれかの操作端末機でＩＤ情報登録媒体を投入し、またはＩＤ情報を入力して消灯操作を行なったときに、点灯操作時のＩＤ情報と消灯操作時のＩＤ情報とが同一である場合に所望の照明器具を消灯させる判断部を備えることを特徴とする照明制御システム。
【請求項５】
複数の照明器具は、いずれかの照明器具を共有する複数のグループに分けられ、前記判断部は、１つのグループの照明器具が点灯しているときに、利用者がいずれかの操作端末機でＩＤ情報登録媒体を投入する、またはＩＤ情報を入力してから点灯操作を行なったときに、他のグループの照明器具を点灯させるか否かを判断することを特徴とする請求項４記載の照明制御システム。
【請求項６】
複数の照明器具は、いずれかの照明器具を共有する複数のグループに分けられ、前記判断部は、１乃至複数のグループの照明器具が点灯しているときに、利用者がいずれかの操作端末機でＩＤ情報登録媒体を投入する、またはＩＤ情報を入力してから消灯操作を行なったときに、点灯している照明器具のうち消灯させる照明器具を判断することを特徴とする請求項４または５記載の照明制御システム。
【請求項７】
操作端末機は、所定の利用可能時間外において操作不可能となることを特徴とする請求項１乃至６いずれか記載の照明制御システム。
【請求項８】
照明手段の点灯制御以外の制御機能を有し、照明手段の点灯制御が可能な時間範囲、照明手段の点灯制御以外の制御が可能な時間範囲、全ての制御が不可能な時間範囲を管理して、照明手段の点灯制御以外の制御が可能な時間範囲で、且つ照明手段の点灯制御が可能な時間範囲でない場合は、照明手段の点灯制御以外の制御のみ可能となることを特徴とする請求項１乃至７いずれか記載の照明制御システム。
【請求項９】
操作端末機または照明制御手段は、本システムの動作を切り替える動作切替手段を備えることを特徴とする請求項１乃至８いずれか記載の照明制御システム。
【発明の詳細な説明】
【技術分野】
【０００１】
本発明は、照明制御システムに関するものである。
【背景技術】
【０００２】
特にスポーツ施設、例えばテニスコートや、野球，サッカーグランド等の施設においては、従来より、利用者が予め施設管理者に利用申請して料金等を払い、その対価として施設利用専用コインや施設利用専用カードを受け取って、実際に施設を使用するときに装置にコインやカードを投入して施設の照明を利用可能にするという照明制御システムがある。このとき、専用コインであれば、例えばコイン１枚３０分という具合にコインの枚数を照明の利用時間に換算している。したがって、投入されたコインの枚数にあたる時間だけ照明器具を点灯させ続け、この時間が無くなったところで照明器具を消灯させる。
【０００３】
また、専用カードであれば、利用者が前払いした料金に対応する点数が記録された専用カードを受け取る。利用者は利用日にその専用カードを持参して、装置にカードを投入する。すると、システムは所定の照明器具を点灯させ、カードに点灯開始時間を記録し、利用者に返却する。利用者は終了時に再度装置にカードを投入する。すると、装置は照明器具を消灯させ、カードに記録された元の点数から使用時間分を減算した点数と、終了時間とを記録する。このとき、減算後に点数が残っていれば、利用施設管理者によって定期的に回収されて、再利用される。
【０００４】
また、専用コインや専用カードの代わりにＩＤ情報を用いた照明制御システムがある。これは、利用者が予め施設管理者に利用申請して利用許可を得た対価に、所定のＩＤ情報記録媒体、またはＩＤ情報を取得し、装置に対してＩＤ情報記録媒体を投入、またはＩＤ情報を入力することによって、設備の照明器具の点灯、消灯が可能になるものである。さらには施設の予約情報と設備の照明器具の点灯、消灯とを連動させたものもある。（例えば、特許文献１参照）。
【特許文献１】特開２００４−１２７７２９号公報
【発明の開示】
【発明が解決しようとする課題】
【０００５】
しかしながら、従来の専用コインや専用カードを用いたシステムでは、利用者にとっては、使用予定毎に予めコインやカードを受け取りに施設管理者のところへ行く必要があり、施設管理者にとっては、定期的に施設設置現場に行って、装置に取り込まれた専用コインや専用カードを回収する必要があり、手間の掛かるものであった。
【０００６】
また専用コインを用いた場合は、例えば３０分／枚等のように時間管理されており、装置に一度投入すると、途中で使用を止めても投入したコインの有効時間だけ照明器具は点灯し続け、利用者にとっても無駄であり、無駄な電力を消費するという問題があった。
【０００７】
上記特許文献１では、専用コインや専用カードの代わりにＩＤ情報を用いることで、利用者、管理者ともに大幅に手間を省けるものである。しかし、大きな施設、例えば野球やサッカーのグランドのように入退場口が複数箇所にあるような施設で用いるには、複数の入退場口からの操作を制御することが必要であるが、上記特許文献１では１箇所からの操作についてのみ開示されており、複数箇所からの操作は不可能であった。
【０００８】
本発明は、上記事由に鑑みてなされたものであり、その目的は、設備の管理者、利用者双方の手間を軽減でき、且つ複数箇所からの操作に対応可能な照明制御システムを提供することにある。
【課題を解決するための手段】
【０００９】
請求項１の発明は、事前に施設管理者に申請をして利用許可を得ている利用者がＩＤ情報登録媒体を投入する投入手段、またはＩＤ情報を入力する入力手段を具備した複数の操作端末機と、１乃至複数の照明器具を点灯・消灯させる１乃至複数の照明制御手段と、操作端末機の操作に応じて照明制御手段による照明器具の動作を制御する親機とを備えて、操作端末機、照明制御手段、親機は通信手段によって接続され、親機は、利用者がいずれかの操作端末機でＩＤ情報登録媒体を投入し、またはＩＤ情報を入力して点灯操作を行なったときに所望の照明器具を点灯させ、点灯後に利用者がいずれかの操作端末機でＩＤ情報登録媒体を投入し、またはＩＤ情報を入力して消灯操作を行なったときに、点灯操作時のＩＤ情報と消灯操作時のＩＤ情報とが同一である場合に所望の照明器具を消灯させる判断部を備えることを特徴とする。
【００１０】
この発明によれば、ＩＤ情報を用いることで、設備の管理者、利用者双方の手間を軽減でき、さらに点灯操作をした操作端末機と消灯操作をした操作端末機とが異なる場合でも点灯操作をした利用者と消灯操作をした利用者とが同一であることを確認できて、複数箇所からの操作に対応可能となる。また、複数台の操作端末機があっても、親機１台を集中的に管理することによって、効率的な管理が可能となる。
【００１１】
請求項２の発明は、請求項１において、複数の照明器具は、いずれかの照明器具を共有する複数のグループに分けられ、前記判断部は、１つのグループの照明器具が点灯しているときに、利用者がいずれかの操作端末機でＩＤ情報登録媒体を投入する、またはＩＤ情報を入力してから点灯操作を行なったときに、他のグループの照明器具を点灯させるか否かを判断することを特徴とする。
【００１２】
この発明によれば、大きな施設等で照明器具を複数のグループに分割した場合に生じる複雑な点灯制御に対応でき、利用者のニーズに柔軟に対応可能なシステムを実現できる。
【００１３】
請求項３の発明は、請求項１または２において、複数の照明器具は、いずれかの照明器具を共有する複数のグループに分けられ、前記判断部は、１乃至複数のグループの照明器具が点灯しているときに、利用者がいずれかの操作端末機でＩＤ情報登録媒体を投入する、またはＩＤ情報を入力してから消灯操作を行なったときに、点灯している照明器具のうち消灯させる照明器具を判断することを特徴とする。
【００１４】
この発明によれば、大きな施設等で照明器具を複数のグループに分割した場合に生じる複雑な消灯制御に対応でき、利用者のニーズに柔軟に対応可能なシステムを実現できる。
【００１５】
請求項４の発明は、事前に施設管理者に申請をして利用許可を得ている利用者がＩＤ情報登録媒体を投入する投入手段、またはＩＤ情報を入力する入力手段を具備した複数の操作端末機と、１乃至複数の照明器具を点灯・消灯させる１乃至複数の照明制御手段とを備えて、操作端末機、照明制御手段は通信手段によって接続され、操作端末機または照明制御手段は、利用者がいずれかの操作端末機でＩＤ情報登録媒体を投入し、またはＩＤ情報を入力して点灯操作を行なったときに所望の照明器具を点灯させ、点灯後に利用者がいずれかの操作端末機でＩＤ情報登録媒体を投入し、またはＩＤ情報を入力して消灯操作を行なったときに、点灯操作時のＩＤ情報と消灯操作時のＩＤ情報とが同一である場合に所望の照明器具を消灯させる判断部を備えることを特徴とする。
【００１６】
この発明によれば、ＩＤ情報を用いることで、設備の管理者、利用者双方の手間を軽減でき、さらに点灯操作をした操作端末機と消灯操作をした操作端末機とが異なる場合でも点灯操作をした利用者と消灯操作をした利用者とが同一であることを確認できて、複数箇所からの操作に対応可能となる。また、親機１を用いず、いずれかの操作端末機が故障した場合でもシステムの稼動は維持でき、安定した動作を実現することができる。
【００１７】
請求項５の発明は、請求項４において、複数の照明器具は、いずれかの照明器具を共有する複数のグループに分けられ、前記判断部は、１つのグループの照明器具が点灯しているときに、利用者がいずれかの操作端末機でＩＤ情報登録媒体を投入する、またはＩＤ情報を入力してから点灯操作を行なったときに、他のグループの照明器具を点灯させるか否かを判断することを特徴とする。
【００１８】
この発明によれば、大きな施設等で照明器具を複数のグループに分割した場合に生じる複雑な点灯制御に対応でき、利用者のニーズに柔軟に対応可能なシステムを実現できる。
【００１９】
請求項６の発明は、請求項４または５において、複数の照明器具は、いずれかの照明器具を共有する複数のグループに分けられ、前記判断部は、１乃至複数のグループの照明器具が点灯しているときに、利用者がいずれかの操作端末機でＩＤ情報登録媒体を投入する、またはＩＤ情報を入力してから消灯操作を行なったときに、点灯している照明器具のうち消灯させる照明器具を判断することを特徴とする。
【００２０】
この発明によれば、大きな施設等で照明器具を複数のグループに分割した場合に生じる複雑な消灯制御に対応でき、利用者のニーズに柔軟に対応可能なシステムを実現できる。
【００２１】
請求項７の発明は、請求項１乃至６いずれかにおいて、操作端末機は、所定の利用可能時間外において操作不可能となることを特徴とする。
【００２２】
この発明によれば、利用可能時間外では、いたずら等から保護することができる。
【００２３】
請求項８の発明は、請求項１乃至７いずれかにおいて、照明手段の点灯制御以外の制御機能を有し、照明手段の点灯制御が可能な時間範囲、照明手段の点灯制御以外の制御が可能な時間範囲、全ての制御が不可能な時間範囲を管理して、照明手段の点灯制御以外の制御が可能な時間範囲で、且つ照明手段の点灯制御が可能な時間範囲でない場合は、照明手段の点灯制御以外の制御のみ可能となることを特徴とする。
【００２４】
この発明によれば、時間毎に操作可能な機能を限定することで、誤って日中に点灯させてしまうといった誤操作を回避でき、利用者の使用性の向上を図ることができ、さらには電力の無駄な消費による電気代の増加を防ぐことができる。
【００２５】
請求項９の発明は、請求項１乃至８いずれかにおいて、操作端末機または照明制御手段は、本システムの動作を切り替える動作切替手段を備えることを特徴とする。
【００２６】
この発明によれば、システムの機能の拡張性を高めることができる。
【発明の効果】
【００２７】
以上説明したように、本発明では、ＩＤ情報を用いることで、設備の管理者、利用者双方の手間を軽減でき、さらに点灯操作をした操作端末機と消灯操作をした操作端末機とが異なる場合でも点灯操作をした利用者と消灯操作をした利用者とが同一であることを確認できて、複数箇所からの操作に対応することができるという効果がある。
【発明を実施するための最良の形態】
【００２８】
以下、本発明の実施の形態を図面に基づいて説明する。
【００２９】
（実施形態１）
本実施形態の照明制御システムは、テニスコートや、野球，サッカーグランド等の施設に設けるもので、図１に示すように、親機１と、照明制御部２１と、複数の操作端末機３１〜３ｎとを備え、親機１、照明制御部２１、操作端末機３１〜３ｎは、ＲＳ４８５等をインターフェースとする通信線Ｌで接続され、照明制御部２１には、照明器具４１が接続されている。そして本実施形態では、利用者が予め施設管理者に利用登録等を申請して利用許可を得た対価に、所定のＩＤ情報、また所定のＩＤ情報記録媒体を取得している。これらのＩＤ情報は、その施設の登録利用者の中では唯一であり、このＩＤ情報で利用者を識別できるものである。
【００３０】
照明制御部２（前述の照明制御部２１、および後述する照明制御部２１〜２ｍと同様の構成を具備する）は、照明器具４１の電源をオン・オフするブレーカやリレー等、およびこれらのブレーカやリレー等を駆動する手段とで構成される。
【００３１】
操作端末機３（前述の操作端末機３１〜３ｎと同様の構成を具備する）は、図２に示すように、通信部３ａと、制御部３ｂと、入力部３ｃとで構成され、通信部３ａには通信線Ｌが接続されている。制御部３ｂは例えばマイクロコンピュータで構成され、通信部３ａと入力部３ｃとが接続されている。
【００３２】
入力部３ｃは、利用者が予め施設管理者に利用申請して利用許可を得た対価に取得するものがＩＤ情報である場合は、キーボードやテンキー等のその場でＩＤ情報を手動で入力できる入力装置であり、磁気カード、ＩＣカード、タグ等のＩＤ情報記録媒体であればその記録媒体に対応した入力装置である。例えば、ＩＤ情報記録媒体が磁気カードの場合は、入力部３ｃには磁気カード読み取り用カードリーダが用いられる。
【００３３】
次に、本実施形態の照明制御システムの動作について説明する。まず、利用者は、所定のＩＤ情報、また所定のＩＤ情報記録媒体を予め取得してから、利用登録した施設に行き、操作端末機３１〜３ｎのうちいずれかの操作端末機（この場合、操作端末機３１とする）の入力部３ｃにて、ＩＤ情報を入力する、あるいはＩＤ情報記録媒体を投入する。制御部３ｂは、入力部３ｃから入力されたＩＤ情報、あるいはＩＤ情報記録媒体から読み出したＩＤ情報を通信部３ａから通信線Ｌを介して親機１へ送信する。
【００３４】
親機１では利用登録されている利用者のＩＤ情報が予め記憶されており、親機１の判断部１ａでは、操作端末機３１から送信されたＩＤ情報に対して、利用登録されているか否かをチェックを行ない、利用可能なＩＤ情報であれば、そのＩＤ情報に対応した照明器具４１が点灯するように、通信線Ｌを介して照明制御部２１を制御する。照明制御部２１は、親機１からの指示にしたがって照明器具４１を点灯させる。このとき、親機１は、照明器具４１の点灯操作をしたＩＤ情報を、照明器具４１の消灯操作をする権利があるＩＤ情報として記憶しておく。
【００３５】
また、親機１の判断部１ａは、操作端末機３１から送信されたＩＤ情報が登録利用者のものではない場合には、操作端末機３１へ不正情報であることを伝え、操作端末機３１では、ＬＥＤやディスプレイ等を用いて不正情報であることを利用者に伝える。
【００３６】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入し、点灯時と同様にＩＤ情報を通信部３ａから通信線Ｌを介して親機１へ送信する。親機１の判断部１ａでは、操作端末機３ｎから送信されたＩＤ情報を、照明器具４１の点灯操作をしたときに記憶したＩＤ情報と比較し、両者が同一であれば、点灯している照明器具４１が消灯するように、通信線Ｌを介して照明制御部２１を制御する。照明制御部２１は、親機１からの指示にしたがって照明器具４１を消灯させる。
【００３７】
また消灯時においても、親機１の判断部１ａは、操作端末機３１から送信されたＩＤ情報が登録利用者のものではない場合には、操作端末機３１へ不正情報であることを伝え、操作端末機３１では、ＬＥＤやディスプレイ等を用いて不正情報であることを利用者に伝える。
【００３８】
さらに親機１は、照明器具４１を点灯させてからの経過時間を利用時間として計時、記憶しており、施設管理者は、この利用時間を親機１から取得して、施設利用者へ利用料金の請求を後で行なうことができる。あるいは、予め前払いされた料金を点数として親機１で管理し、消灯時に利用した時間に対応する点数を減算していくことで、利用料金の精算が可能となる。
【００３９】
このように、本実施形態では、点灯操作をした操作端末機と消灯操作をした操作端末機とが異なる場合でも、点灯操作をした利用者と消灯操作をした利用者とが同一であることを確認でき、複数の操作端末機３１〜３ｎからの操作が可能となる。したがって、広いグランド等で入退場口が複数箇所ある場合でも、同様の機能を有する操作端末機を入退場口毎に設置することができ、利用者に便利なシステムとなる。また、本実施形態のように親機１を用いた構成では、複数台の操作端末機があっても、親機１台を集中的に管理することによって、効率的な管理が可能となる。
【００４０】
また、利用者が施設管理者へ利用申請する場合にＩＤ情報と同時にパスワードを設定して、そのパスワードをＩＤ情報と同様に親機１に予め記憶させておき、点灯、消灯時のＩＤ情報入力時にパスワードも入力して、親機１でのＩＤ情報の比較、確認時にパスワードの比較、確認も行なえば、ＩＤ情報記録媒体を紛失し、拾得した第三者に使用されることがあっても、パスワードによりセキュリティを向上させることができる。
【００４１】
さらに、親機１が例えばインターネットに接続可能な場合には、ＩＤ情報等の利用者登録をインターネット経由で遠隔操作することができる。この場合、親機１よりさらに上位のサーバ等に利用時間、または点数等を通知でき、管理がさらに容易になる。また、ＩＤ情報を失念した利用者に対しては遠隔から点灯・消灯操作を行なうことができ、不具合発生時により柔軟に対応することができる。
【００４２】
また、上記ＩＤ情報記録媒体としては磁気カード、ＩＣカード、タグがあるが、これらに限定されるものではない。
【００４３】
また、本実施形態では、通信線Ｌによる有線の通信手段を用いているが、適切な通信手段を組み合わせることで無線等の他の通信手段を用いてもよい。
【００４４】
また、予約情報を予め親機１に設定しておくことで、予約した利用者か否かの判断ができ、さらにはこの予約情報に基づいて点灯した照明器具４１を親機１の指示によって消灯することも可能である。また、利用者が照明器具４１を点灯操作する際に、利用予定時間も入力するようにしておけば、この利用予定時間に基づいて消灯操作を省略することも可能である。
【００４５】
なお、本実施形態では操作端末機３１，３ｎを用いているが、操作端末機３１〜３ｎのうちいずれの操作端末機を用いても同様の動作を行う。
【００４６】
（実施形態２）
本実施形態の照明制御システムは、図３に示すように、親機１と、複数の照明制御部２１〜２ｍと、複数の操作端末機３１〜３ｎとを備え、親機１、照明制御部２１〜２ｍ、操作端末機３１〜３ｎは、ＲＳ４８５等をインターフェースとする通信線Ｌで接続され、照明制御部２１〜２ｍには、照明器具４１〜４ｍが各々接続されている。なお、実施形態１と同様の構成には同一の符号を付して説明は省略する。
【００４７】
本実施形態の操作端末機３（３１〜３ｎ）は、図４に示すように、入力部３ｃに加えて照明器具選択スイッチ３ｄを備えており、操作する照明器具を照明器具４１〜４ｍの中から選択することができる。そして、利用者は、所定のＩＤ情報、また所定のＩＤ情報記録媒体を予め取得してから、利用登録した施設に行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明器具選択スイッチ３ｄで点灯させる照明器具を選択し、制御部３ｂは、ＩＤ情報と選択した照明器具の情報とを通信部３ａから通信線Ｌを介して親機１へ送信する。
【００４８】
親機１では、利用登録されている利用者のＩＤ情報が予め記憶されており、親機１の判断部１ａでは、操作端末機３１から送信されたＩＤ情報に対して、利用登録されているか否かをチェックを行ない、利用可能なＩＤ情報であれば、照明器具の情報に基づいて選択した照明器具（この場合、照明器具４１とする）が点灯するように、通信線Ｌを介して照明制御部２１を制御する。照明制御部２１は、親機１からの指示にしたがって照明器具４１を点灯させる。このとき、親機１は、照明器具４１の点灯操作をした利用者のＩＤ情報として受信したＩＤ情報を記憶しておく。
【００４９】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入し、点灯時と同様にＩＤ情報を通信部３ａから通信線Ｌを介して親機１へ送信する。親機１の判断部１ａでは、操作端末機３ｎから送信されたＩＤ情報を、記憶しているＩＤ情報と比較し、現在照明器具４１を点灯させている利用者のＩＤ情報と同一であれば、点灯している照明器具４１が消灯するように、通信線Ｌを介して照明制御部２１を制御する。照明制御部２１は、親機１からの指示にしたがって照明器具４１を消灯させる。
【００５０】
また親機１は、照明器具４１を点灯させてからの経過時間を利用時間として計時、記憶しており、施設管理者は、この利用時間を親機１から取得して、施設利用者へ利用料金の請求を後で行なうことができる。あるいは、予め前払いされた料金を点数として親機１で管理し、消灯時に利用した時間に対応する点数を減算していくことで、利用料金の精算が可能となる。
【００５１】
また、点灯時において、親機１の判断部１ａが、操作端末機３１〜３ｎから送信された各ＩＤ情報に対して利用登録されているか否かをチェックを行ない、利用可能なＩＤ情報であれば、各操作端末機を操作する利用者に照明器具選択スイッチ３ｄの入力を促すようにしてもよく、さらには、照明器具選択スイッチ３ｄの入力を促された利用者は、現在消灯している照明器具を選択して点灯させると同時に、現在点灯している照明器具を選択して利用時間または前払いした点数の管理をして消灯させるというように、１人の利用者が複数の照明器具を独立して操作することができる。
【００５２】
なお、本実施形態では操作端末機３１，３ｎを用いているが、操作端末機３１〜３ｎのうちいずれの操作端末機を用いても同様の動作を行う。
【００５３】
（実施形態３）
本実施形態の照明制御システムは、実施形態２と同様に図３に示され、実施形態２と同様の構成には同一の符号を付して説明は省略する。
【００５４】
本実施形態の操作端末機３（３１〜３ｎ）は、図５に示すように、入力部３ｃに加えて照明器具選択スイッチ３ｄ、照明器具操作スイッチ３ｅを備えており、操作する照明器具を照明器具４１〜４ｍの中から選択し、さらにその点灯・消灯操作を選択することができる。そして、利用者は、所定のＩＤ情報、また所定のＩＤ情報記録媒体を予め取得してから、利用登録した施設に行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明器具選択スイッチ３ｄで操作する照明器具を選択し、照明器具操作スイッチ３ｅで照明器具の操作内容を選択して、制御部３ｂは、ＩＤ情報と選択した照明器具の情報及び操作内容の情報とを通信部３ａから通信線Ｌを介して親機１へ送信する。
【００５５】
親機１では、利用登録されている利用者のＩＤ情報が予め記憶されており、親機１の判断部１ａでは、操作端末機３１から送信されたＩＤ情報に対して、利用登録されているか否かをチェックを行ない、利用可能なＩＤ情報であれば、照明器具の情報に基づいて選択した照明器具が操作内容の情報に基づいた動作を行なうように、通信線Ｌを介して照明制御部２１を制御する。例えば、照明器具４１を選択し、操作内容が点灯の場合、ＩＤ情報、選択した照明器具の情報、点灯要求が操作端末機３１から親機１へ送信され、点灯要求を受信した親機１は、照明器具４１が現在消灯しておれば、照明器具４１の点灯操作をした利用者のＩＤ情報として受信したＩＤ情報を記憶し、照明制御部２１を介して照明器具４１を点灯させる。
【００５６】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入するとともに、照明器具選択スイッチ３ｄで照明器具４１を選択し、照明器具操作スイッチ３ｅで消灯を選択して、制御部３ｂは、ＩＤ情報、選択した照明器具の情報、消灯要求を通信部３ａから通信線Ｌを介して親機１へ送信する。親機１の判断部１ａでは、操作端末機３１から送信されたＩＤ情報が、利用可能なＩＤ情報であり、且つ現在照明器具４１を点灯させている利用者のＩＤ情報と同一であれば、点灯している照明器具４１が消灯するように、通信線Ｌを介して照明制御部２１を制御する。照明制御部２１は、親機１からの指示にしたがって照明器具４１を消灯させる。
【００５７】
また親機１は、照明器具４１を点灯させてからの経過時間を利用時間として計時、記憶しており、施設管理者は、この利用時間を親機１から取得して、施設利用者へ利用料金の請求を後で行なうことができる。あるいは、予め前払いされた料金を点数として親機１で管理し、消灯時に利用した時間に対応する点数を減算していくことで、利用料金の精算が可能となる。
【００５８】
また、親機１では、操作端末機３１〜３ｎから送信されたＩＤ情報を最初に確認し、次に選択した照明器具を確認し、次に選択した操作内容を確認するというように、順次確認をしながらでも同様の動作は可能であり、その順序は上記順序に限定されない。
【００５９】
さらに、親機１で確認したＩＤ情報が利用可能なＩＤ情報であれば、このＩＤ情報で可能な操作内容を操作端末機３１〜３ｎ上に設けたＬＥＤ等で表示し、例えば点灯要求をした場合は、点灯可能な照明器具の番号を表示して利用者に選択させるというガイド機能を有する動作も可能である。
【００６０】
なお、本実施形態では操作端末機３１，３ｎを用いているが、操作端末機３１〜３ｎのうちいずれの操作端末機を用いても同様の動作を行う。
【００６１】
（実施形態４）
本実施形態の照明制御システムは、実施形態３と同様に図３に示され、実施形態３と同様の構成には同一の符号を付して説明は省略する。
【００６２】
本実施形態では図６に示すように、半分づつ時間貸しできるグランドにおいて、左半分をエリアＡ１、右半分をエリアＡ２とし、照明グループＧ１はエリアＡ１を照明し、照明グループＧ２はエリアＡ２を照明し、照明グループＧ３はエリアＡ１，Ａ２両方を照明する。そして、照明グループＧ１は照明制御部２１，２２、照明器具４１，４２で構成され、照明グループＧ２は照明制御部２２，２３、照明器具４２，４３で構成され、照明グループＧ３は照明グループＧ１と照明グループＧ２とを併せた照明制御部２１，２２，２３、照明器具４１，４２，４３で構成されている。利用者にとって大きなスペースが必要な場合は照明グループＧ１，Ｇ２両方に対応するエリアＡ１，Ａ２を使用し、小さいエリアでよい場合は照明グループＧ１に対応するエリアＡ１または照明グループＧ２に対応するエリアＡ２いずれかを使用する。ここで、照明制御部２２、照明器具４２は、照明グループＧ１と照明グループＧ２とで共有している。
【００６３】
そして、親機１には照明グループ、照明器具の各情報、および図７に示すような各照明グループの同時点灯可否を設定するテーブルが予め記憶されている。このテーブルは、現在点灯中の照明グループがある状態で、別の照明グループの点灯要求があった場合、その点灯要求による点灯の可能／不可能を示したものである。
【００６４】
本実施形態の操作端末機３（３１〜３ｎ）は、図８に示すように、入力部３ｃに加えて照明器具操作スイッチ３ｅ、照明グループ選択スイッチ３ｆを備えており、操作する照明グループを照明グループＧ１〜Ｇ３の中から選択し、さらにその点灯・消灯操作を選択することができる。そして、利用者は、所定のＩＤ情報、また所定のＩＤ情報記録媒体を予め取得してから、利用登録したこのグランドに行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明グループ選択スイッチ３ｆで操作する照明グループを選択し、照明器具操作スイッチ３ｅで照明器具の操作内容を選択して、制御部３ｂは、ＩＤ情報と選択した照明グループの情報及び操作内容の情報とを通信部３ａから通信線Ｌを介して親機１へ送信する。
【００６５】
親機１では、利用登録されている利用者のＩＤ情報が予め記憶されており、親機１の判断部１ａでは、操作端末機３１から送信されたＩＤ情報に対して、利用登録されているか否かをチェックを行ない、利用可能なＩＤ情報であれば、照明グループの情報に基づいて選択した照明グループが操作内容の情報に基づいた動作を行なうように、通信線Ｌを介して照明制御部を制御する。例えば、照明グループＧ１を選択し、操作内容が点灯の場合、照明グループＧ１の点灯要求が操作端末機３１から親機１へ送信され、点灯要求を受信した親機１は、照明グループＧ１，Ｇ２，Ｇ３が現在消灯しておれば、照明グループＧ１の点灯操作をした利用者のＩＤ情報として受信したＩＤ情報を記憶するとともに受信した照明グループ情報（この場合は、照明グループＧ１）、受信した操作内容の情報（この場合は、点灯）も記憶し、照明グループＧ１の照明制御部２１，２２を介して照明器具４１，４２を点灯させる。
【００６６】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入するとともに、照明グループ選択スイッチ３ｆで照明グループＧ１を選択し、照明器具操作スイッチ３ｅで消灯を選択して、制御部３ｂは、ＩＤ情報、選択した照明グループの情報、消灯要求を通信部３ａから通信線Ｌを介して親機１へ送信する。親機１の判断部１ａでは、操作端末機３１から送信されたＩＤ情報が、利用可能なＩＤ情報であり、且つ現在照明グループＧ１を点灯させている利用者のＩＤ情報と同一であれば、点灯している照明グループＧ１の照明器具４１，４２が消灯するように、通信線Ｌを介して照明制御部２１，２２を制御する。照明制御部２１は、親機１からの指示にしたがって照明器具４１，４２を消灯させる。
【００６７】
また、例えば照明グループＧ１が点灯中に照明グループＧ２または照明グループＧ３の点灯要求が親機１に送信された場合、判断部１ａは図７のテーブルに基づいて照明グループＧ２または照明グループＧ３の点灯動作は行なわない。
【００６８】
さらに、例えば照明グループＧ１の点灯中に照明グループＧ１の点灯要求が親機１に送信された場合、判断部１ａは図７のテーブルに基づいて照明グループＧ１の点灯動作は行なわないが、実際は現状維持として照明グループＧ１は点灯を維持している。
【００６９】
なお、本実施形態では、テーブルに各照明グループの同時点灯可否の設定を記憶させているが、同様の判断動作を行なうことができれば、手段としてテーブルに限定されるものではない。
【００７０】
また、照明グループＧ１，Ｇ２，Ｇ３を基準にして照明の動作を管理しているが、利用者が操作要求する照明器具のグループを照明グループＧ１，Ｇ２，Ｇ３ではなく、エリアＡ１，Ａ２で選択しても同様の機能が実現できる。
【００７１】
さらに、図７のテーブルではいずれかの照明グループが点灯していると、他の照明グループは点灯不可となるが、各照明グループ内の照明器具毎に管理可能であれば、例えば照明グループＧ１の点灯要求によって照明器具４１，４２を点灯させているときに、照明グループＧ２の点灯要求があると、照明グループＧ１と照明グループＧ２とで共有している照明器具４２は既に点灯しているので、照明器具４３を新たに点灯させることが可能となる。
【００７２】
また、利用者から得られるＩＤ情報が同一である場合のみ、照明グループＧ１の点灯中に照明グループＧ２の点灯が可能となるというＩＤ情報に関する条件を考慮した判断も可能となる。
【００７３】
このように、大きな施設等で複数の照明グループに分割した場合に生じる複雑な点灯制御に対応でき、利用者のニーズに柔軟に対応可能なシステムを実現できる。
【００７４】
（実施形態５）
本実施形態では、図６に示す実施形態４と同様に半分づつ時間貸しできるグランドに用いる照明制御システムの消灯動作について説明する。実施形態４と同様の構成には同一の符号を付して説明は省略する。
【００７５】
親機１には照明グループ、照明器具の各情報、および図９に示すような各照明グループの消灯可否を設定するテーブルが予め記憶されている。このテーブルは、現在点灯中の照明グループがある状態で、別の照明グループの消灯要求があった場合、その消灯要求による消灯の可能／不可能を示したものである。
【００７６】
親機１では、利用登録されている利用者のＩＤ情報が予め記憶されており、親機１の判断部１ａでは、操作端末機３１から送信されたＩＤ情報に対して、利用登録されているか否かをチェックを行ない、利用可能なＩＤ情報であれば、親機１は、照明グループの情報に基づいて選択した照明グループが操作内容の情報に基づいた動作を行なうように、通信線Ｌを介して照明制御部を制御する。例えば、照明グループＧ３を選択し、操作内容が点灯の場合、照明グループＧ３の点灯要求が操作端末機３１から親機１へ送信され、点灯要求を受信した親機１は、照明グループＧ１の点灯操作をした利用者のＩＤ情報として受信したＩＤ情報を記憶するとともに受信した照明グループ情報（この場合は、照明グループＧ３）、受信した操作内容の情報（この場合は、点灯）も記憶し、照明グループＧ３の照明制御部２１，２２，２３を介して照明器具４１，４２，４３を点灯させる。
【００７７】
そして、利用者は最初エリアＡ１，Ａ２の全面を利用していたが、エリアＡ２の利用が早く終了して照明グループＧ２の消灯を行なうために、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入するとともに、照明グループ選択スイッチ３ｆで照明グループＧ２を選択し、照明器具操作スイッチ３ｅで消灯を選択して、制御部３ｂは、ＩＤ情報、選択した照明グループの情報、消灯要求を通信部３ａから通信線Ｌを介して親機１へ送信する。親機１の判断部１ａでは、操作端末機３１から送信されたＩＤ情報が、利用可能なＩＤ情報であり、且つ現在照明グループＧ３を点灯させている利用者のＩＤ情報と同一であれば、点灯している照明グループＧ３の照明器具４１，４２，４３のうち照明器具４３のみが消灯するように、通信線Ｌを介して照明制御部２３を制御する。照明制御部２１は、親機１からの指示にしたがって照明器具４３を消灯させる。
【００７８】
また、例えば照明グループＧ３が消灯中に照明グループＧ１の消灯要求が親機１に送信された場合、判断部１ａは図９のテーブルに基づいて照明器具４１のみ消灯させる。
【００７９】
さらに、例えば照明グループＧ３の点灯中に照明グループＧ３の消灯要求が親機１に送信された場合、判断部１ａは図９のテーブルに基づいて照明グループＧ３の消灯動作は行なわないが、実際は現状維持として照明グループＧ３は消灯を維持している。
【００８０】
このように、大きな施設等で複数の照明グループに分割した場合に生じる複雑な消灯制御に対応でき、利用者のニーズに柔軟に対応可能なシステムを実現できる。
【００８１】
なお、本実施形態では、テーブルに各照明グループの同時点灯可否の設定を記憶させているが、同様の判断動作を行なうことができれば、手段としてテーブルに限定されるものではない。
【００８２】
また、照明グループＧ１，Ｇ２，Ｇ３を基準にして照明の動作を管理しているが、利用者が操作要求する照明器具のグループを照明グループＧ１，Ｇ２，Ｇ３ではなく、エリアＡ１，Ａ２で選択しても同様の機能が実現できる。
【００８３】
（実施形態６）
本実施形態の照明制御システムは、テニスコートや、野球，サッカーグランド等の施設に設けるもので、図１０に示すように、照明制御部２１と、複数の操作端末機３１〜３ｎとを備え、照明制御部２１、操作端末機３１〜３ｎは、ＲＳ４８５等をインターフェースとする通信線Ｌで接続され、照明制御部２１には、照明器具４１が接続されている。そして本実施形態では、利用者が予め施設管理者に利用登録等を申請して利用許可を得た対価に、所定のＩＤ情報、また所定のＩＤ情報記録媒体を取得している。これらのＩＤ情報は、その施設の登録利用者の中では唯一であり、このＩＤ情報で利用者を識別できるものである。
【００８４】
照明制御部２（前述の照明制御部２１、および後述する照明制御部２１〜２ｍと同様の構成を具備する）は、照明器具４１の電源をオン・オフするブレーカやリレー等、およびこれらのブレーカやリレー等を駆動する手段とで構成される。
【００８５】
操作端末機３（前述の操作端末機３１〜３ｎと同様の構成を具備する）は、図１１に示すように、通信部３ａと、制御部３ｂと、入力部３ｃと、判断部３ｇとで構成され、通信部３ｇには通信線Ｌが接続されている。制御部３ｂは例えばマイクロコンピュータで構成され、通信部３ａと入力部３ｃと判断部３ｇとが接続されている。
【００８６】
入力部３ｃは、利用者が予め施設管理者に利用申請して利用許可を得た対価に取得するものがＩＤ情報である場合は、キーボードやテンキー等のその場でＩＤ情報を手動で入力できる入力装置であり、磁気カード、ＩＣカード、タグ等のＩＤ情報記録媒体であればその記録媒体に対応した入力装置である。例えば、ＩＤ情報記録媒体が磁気カードの場合は、入力部４ｃには磁気カード読み取り用カードリーダが用いられる。
【００８７】
次に、本実施形態の照明制御システムの動作について説明する。まず、操作端末機３１〜３ｎには、利用登録されている利用者のＩＤ情報が予め記憶されており、このＩＤ情報の設定手段は、操作端末機３１〜３ｎに設定ツールを直接接続して各々入力してもよく、あるいはいずれか１台の操作端末機に入力すれば、通信線Ｌを介して他の操作端末機へ利用登録されている利用者のＩＤ情報を送信して、各操作端末機間で同一の情報を記憶することは容易に行なうことができる。
【００８８】
そして、利用者は、所定のＩＤ情報、また所定のＩＤ情報記録媒体を予め取得してから、利用登録した施設に行き、操作端末機３１〜３ｎのうちいずれかの操作端末機（この場合、操作端末機３１とする）の入力部３ｃにて、ＩＤ情報を入力する、あるいはＩＤ情報記録媒体を投入する。
【００８９】
操作端末機３１〜３ｎでは利用登録されている利用者のＩＤ情報が予め記憶されており、入力部３ｃからＩＤ情報が入力された操作端末機３１の判断部３ｇでは、入力されたＩＤ情報に対して、利用登録されているか否かをチェックを行ない、利用可能なＩＤ情報であれば、そのＩＤ情報に対応した照明器具４１が点灯するように、通信線Ｌを介して照明制御部２１を制御する。照明制御部２１は、操作端末機３１からの指示にしたがって照明器具４１を点灯させる。このとき、操作端末機３１の制御部３ｂは、照明器具４１の点灯操作をしたＩＤ情報を、照明器具４１の消灯操作をする権利があるＩＤ情報として記憶するとともに、通信部３ａから通信線Ｌを介して他の操作端末機３２〜３ｎへ送信し、他の操作端末機３２〜３ｎでもこのＩＤ情報を、照明器具４１の消灯操作をする権利があるＩＤ情報として記憶する。
【００９０】
また、操作端末機３１の判断部１ａは、入力されたＩＤ情報が登録利用者のものではない場合には、ＬＥＤやディスプレイ等を用いて不正情報であることを利用者に伝える。
【００９１】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入し、操作端末機３ｎの判断部３ｇでは、このＩＤ情報を、照明器具４１の点灯操作をしたときに記憶したＩＤ情報と比較し、両者が同一であれば、点灯している照明器具４１が消灯するように、通信線Ｌを介して照明制御部２１を制御する。照明制御部２１は、操作端末機３ｎからの指示にしたがって照明器具４１を消灯させる。
【００９２】
また消灯時においても、操作端末機３ｎの判断部３ｇは、入力されたＩＤ情報が登録利用者のものではない場合には、ＬＥＤやディスプレイ等を用いて不正情報であることを利用者に伝える。
【００９３】
さらに操作端末機３１〜３ｎは、照明器具４１を点灯させてからの経過時間を利用時間として計時、記憶しており、施設管理者は、この利用時間を操作端末機から取得して、施設利用者へ利用料金の請求を後で行なうことができる。あるいは、予め前払いされた料金を点数として操作端末機３１〜３ｎで管理し、消灯時に利用した時間に対応する点数を減算していくことで、利用料金の精算が可能となる。
【００９４】
このように、本実施形態では、点灯操作をした操作端末機と消灯操作をした操作端末機とが異なる場合でも、点灯操作をした利用者と消灯操作をした利用者とが同一であることを確認でき、複数の操作端末機３１〜３ｎからの操作が可能となる。したがって、広いグランド等で入退場口が複数箇所ある場合でも、同様の機能を有する操作端末機を入退場口毎に設置することができ、利用者に便利なシステムとなる。また、本実施形態のように親機１を用いない構成では、いずれかの操作端末機が故障した場合でもシステムの稼動は維持でき、安定した動作を実現することができる。
【００９５】
また、利用者が施設管理者へ利用申請する場合にＩＤ情報と同時にパスワードを設定して、ＩＤ情報と同様に操作端末機３１〜３ｎに予め記憶させておき、点灯、消灯時のＩＤ情報入力時にパスワードも入力して、親機１でのＩＤ情報の比較、確認時にパスワードの比較、確認も行なえば、ＩＤ情報記録媒体を紛失し、拾得した第三者に使用されることがあっても、パスワードによりセキュリティを向上させることができる。
【００９６】
さらに、操作端末機３１〜３ｎのうちいずれかが例えばインターネットに接続可能な場合には、ＩＤ情報等の利用者登録をインターネット経由で遠隔操作することができる。この場合、操作端末機３１〜３ｎよりさらに上位のサーバ等に利用時間、または点数等を通知でき、管理がさらに容易になる。また、ＩＤ情報を失念した利用者に対しては遠隔から点灯・消灯操作を行なうことができ、不具合発生時により柔軟に対応することができる。
【００９７】
また、上記ＩＤ情報記録媒体としては磁気カード、ＩＣカード、タグがあるが、これらに限定されるものではない。
【００９８】
また、本実施形態では、通信線Ｌによる有線の通信手段を用いているが、適切な通信手段を組み合わせることで無線等の他の通信手段を用いてもよい。
【００９９】
また、予約情報を予め操作端末機３１〜３ｎに設定しておくことで、予約した利用者か否かの判断ができ、さらにはこの予約情報に基づいて点灯した照明器具４１を操作端末機の指示によって消灯することも可能である。また、利用者が照明器具４１を点灯操作する際に、利用予定時間も入力するようにしておけば、この利用予定時間に基づいて消灯操作を省略することも可能である。
【０１００】
なお、本実施形態では操作端末機３１，３ｎを用いているが、操作端末機３１〜３ｎのうちいずれの操作端末機を用いても同様の動作を行う。
【０１０１】
（実施形態７）
本実施形態の照明制御システムは、図１２に示すように、複数の照明制御部２１〜２ｍと、複数の操作端末機３１〜３ｎとを備え、照明制御部２１〜２ｍ、操作端末機３１〜３ｎは、ＲＳ４８５等をインターフェースとする通信線Ｌで接続され、照明制御部２１〜２ｍには、照明器具４１〜４ｍが各々接続されている。なお、実施形態６と同様の構成には同一の符号を付して説明は省略する。
【０１０２】
本実施形態の操作端末機３（３１〜３ｎ）は、図１３に示すように、入力部３ｃに加えて照明器具選択スイッチ３ｄを備えており、操作する照明器具を照明器具４１〜４ｍの中から選択することができる。そして、利用者は、所定のＩＤ情報、また所定のＩＤ情報記録媒体を予め取得してから、利用登録した施設に行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明器具選択スイッチ３ｄで点灯させる照明器具を選択する。
【０１０３】
操作端末機３１〜３ｎでは、利用登録されている利用者のＩＤ情報が予め記憶されており、入力部３ｃからＩＤ情報を入力された操作端末機３１の判断部３ｇでは、入力されたＩＤ情報に対して、利用登録されているか否かをチェックを行ない、利用可能なＩＤ情報であれば、選択した照明器具（この場合、照明器具４１とする）が点灯するように、通信線Ｌを介して照明制御部２１を制御する。照明制御部２１は、操作端末機３１からの指示にしたがって照明器具４１を点灯させる。このとき、操作端末機３１の制御部３ｂは、照明器具４１の点灯操作をした利用者のＩＤ情報としてこのＩＤ情報を記憶するとともに、通信部３ａから通信線Ｌを介して他の操作端末機３２〜３ｎへ送信し、他の操作端末機３２〜３ｎでもこのＩＤ情報を照明器具４１の点灯操作をした利用者のＩＤ情報として記憶する。
【０１０４】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入し、操作端末機３ｎの判断部３ｇでは、このＩＤ情報を、照明器具４１の点灯操作をしたＩＤ情報と比較し、両者が同一であれば、点灯している照明器具４１が消灯するように、通信線Ｌを介して照明制御部２１を制御する。照明制御部２１は、操作端末機３ｎからの指示にしたがって照明器具４１を消灯させる。
【０１０５】
また、操作端末機３１〜３ｎは、照明器具４１を点灯させてからの経過時間を利用時間として計時、記憶しており、施設管理者は、この利用時間を操作端末機から取得して、施設利用者へ利用料金の請求を後で行なうことができる。あるいは、予め前払いされた料金を点数として操作端末機３１〜３ｎで管理し、消灯時に利用した時間に対応する点数を減算していくことで、利用料金の精算が可能となる。
【０１０６】
また、点灯時において、操作端末機３１の判断部３ｇが、入力されたＩＤ情報に対して利用登録されているか否かをチェックを行ない、利用可能なＩＤ情報であれば、利用者に照明器具選択スイッチ３ｄの入力を促すようにしてもよく、さらには、照明器具選択スイッチ３ｄの入力を促された利用者は、現在消灯している照明器具を選択して点灯させると同時に、現在点灯している照明器具を選択して利用時間または前払いした点数の管理をして消灯させるというように、１人の利用者が複数の照明器具を独立して操作することができる。
【０１０７】
なお、本実施形態では操作端末機３１，３ｎを用いているが、操作端末機３１〜３ｎのうちいずれの操作端末機を用いても同様の動作を行う。
【０１０８】
（実施形態８）
本実施形態の照明制御システムは、実施形態７と同様に図１２に示され、実施形態７と同様の構成には同一の符号を付して説明は省略する。
【０１０９】
本実施形態の操作端末機３（３１〜３ｎ）は、図１４に示すように、入力部３ｃに加えて照明器具選択スイッチ３ｄ、照明器具操作スイッチ３ｅを備えており、操作する照明器具を照明器具４１〜４ｍの中から選択し、さらにその点灯・消灯操作を選択することができる。そして、利用者は、所定のＩＤ情報、また所定のＩＤ情報記録媒体を予め取得してから、利用登録した施設に行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明器具選択スイッチ３ｄで操作する照明器具を選択し、照明器具操作スイッチ３ｅで照明器具の操作内容を選択する。
【０１１０】
操作端末機３１〜３ｎでは、利用登録されている利用者のＩＤ情報が予め記憶されており、操作端末機３１の判断部３ｇでは、入力部３ｃから入力されたＩＤ情報に対して、利用登録されているか否かをチェックを行ない、利用可能なＩＤ情報であれば、選択した照明器具が操作内容の情報に基づいた動作を行なうように、通信線Ｌを介して照明制御部を制御する。例えば、照明器具４１を選択し、操作内容が点灯の場合、照明器具４１の点灯要求が操作端末機３１で発生し、照明器具４１が現在消灯しておれば、照明制御部２１を介して照明器具４１を点灯させる。このとき、操作端末機３１の制御部３ｂは、照明器具４１の点灯操作をした利用者のＩＤ情報としてこのＩＤ情報を記憶するとともに、通信部３ａから通信線Ｌを介して他の操作端末機３２〜３ｎへ送信し、他の操作端末機３２〜３ｎでもこのＩＤ情報を照明器具４１の点灯操作をした利用者のＩＤ情報として記憶する。
【０１１１】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入するとともに、照明器具選択スイッチ３ｄで照明器具４１を選択し、照明器具操作スイッチ３ｅで消灯を選択する。操作端末機３１の判断部３ｇでは、操作端末機３１から送信されたＩＤ情報が、利用可能なＩＤ情報であり、且つ現在照明器具４１を点灯させている利用者のＩＤ情報と同一であれば、点灯している照明器具４１が消灯するように、通信線Ｌを介して照明制御部２１を制御する。照明制御部２１は、操作端末機３ｎからの指示にしたがって照明器具４１を消灯させる。
【０１１２】
また、操作端末機３１〜３ｎは、照明器具４１を点灯させてからの経過時間を利用時間として計時、記憶しており、施設管理者は、この利用時間を操作端末機から取得して、施設利用者へ利用料金の請求を後で行なうことができる。あるいは、予め前払いされた料金を点数として操作端末機３１〜３ｎで管理し、消灯時に利用した時間に対応する点数を減算していくことで、利用料金の精算が可能となる。
【０１１３】
また、操作端末機３１〜３ｎでは最初にＩＤ情報を確認し、次に選択した照明器具を確認し、次に選択した操作内容を確認するというように、順次確認をしながらでも同様の動作は可能であり、その順序は上記順序に限定されない。
【０１１４】
さらに、操作端末機３１〜３ｎで確認したＩＤ情報が利用可能なＩＤ情報であれば、このＩＤ情報で可能な操作内容を操作端末機上に設けたＬＥＤ等で表示し、例えば点灯要求をした場合は、点灯可能な照明器具の番号を表示して利用者に選択させるというガイド機能を有する動作も可能である。
【０１１５】
なお、本実施形態では操作端末機３１，３ｎを用いているが、操作端末機３１〜３ｎのうちいずれの操作端末機を用いても同様の動作を行う。
【０１１６】
（実施形態９）
本実施形態の照明制御システムは、実施形態８と同様に図１２に示され、図６に示す実施形態４と同様に半分づつ時間貸しできるグランドに用いた場合の点灯動作について説明する。実施形態４，８と同様の構成には同一の符号を付して説明は省略する。
【０１１７】
操作端末機３１〜３ｎには照明グループ、照明器具の各情報、および図７に示すような各照明グループの同時点灯可否を設定するテーブルが予め記憶されている。このテーブルは、現在点灯中の照明グループがある状態で、別の照明グループの点灯要求があった場合、その点灯要求による点灯の可能／不可能を示したものである。
【０１１８】
本実施形態の操作端末機３（３１〜３ｎ）は、図１５に示すように、入力部３ｃに加えて照明器具操作スイッチ３ｅ、照明グループ選択スイッチ３ｆを備えており、操作する照明グループを照明グループＧ１〜Ｇ３の中から選択し、さらにその点灯・消灯操作を選択することができる。そして、利用者は、所定のＩＤ情報、また所定のＩＤ情報記録媒体を予め取得してから、利用登録したこのグランドに行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明グループ選択スイッチ３ｆで操作する照明グループを選択し、照明器具操作スイッチ３ｅで照明器具の操作内容を選択する。
【０１１９】
操作端末機３１〜３ｎでは、利用登録されている利用者のＩＤ情報が予め記憶されており、操作端末機３１の判断部３ｇでは、入力部３ｃから入力されたＩＤ情報に対して、利用登録されているか否かをチェックを行ない、利用可能なＩＤ情報であれば、選択した照明グループが操作内容の情報に基づいた動作を行なうように、通信線Ｌを介して照明制御部を制御する。例えば、照明グループＧ１を選択し、操作内容が点灯の場合、照明グループＧ１の点灯要求が操作端末機３１で発生し、照明グループＧ１，Ｇ２，Ｇ３が現在消灯しておれば、照明制御部２１を介して照明グループＧ１を点灯させる。このとき、操作端末機３１の制御部３ｂは、照明グループＧ１の点灯操作をした利用者のＩＤ情報としてこのＩＤ情報を記憶するとともに、通信部３ａから通信線Ｌを介して他の操作端末機３２〜３ｎへ送信し、他の操作端末機３２〜３ｎでもこのＩＤ情報を照明グループＧ１の点灯操作をした利用者のＩＤ情報として記憶する。
【０１２０】
そして、消灯時には、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入するとともに、照明グループ選択スイッチ３ｆで照明グループＧ１を選択し、照明器具操作スイッチ３ｅで消灯を選択する。操作端末機３１の判断部３ｇでは、操作端末機３１から送信されたＩＤ情報が、利用可能なＩＤ情報であり、且つ現在照明グループＧ１を点灯させている利用者のＩＤ情報と同一であれば、点灯している照明グループＧ１の照明器具４１，４２が消灯するように、通信線Ｌを介して照明制御部２１，２２を制御する。照明制御部２１，２２は、操作端末機３ｎからの指示にしたがって照明器具４１，４２を消灯させる。
【０１２１】
また、例えば照明グループＧ１が点灯中に照明グループＧ２または照明グループＧ３の点灯要求が発生した場合、判断部３ｇは図７のテーブルに基づいて照明グループＧ２または照明グループＧ３の点灯動作は行なわない。
【０１２２】
さらに、例えば照明グループＧ１の点灯中に照明グループＧ１の点灯要求が発生した場合、判断部３ｇは図７のテーブルに基づいて照明グループＧ１の点灯動作は行なわないが、実際は現状維持として照明グループＧ１は点灯を維持している。
【０１２３】
なお、本実施形態では、テーブルに各照明グループの同時点灯可否の設定を記憶させているが、同様の判断動作を行なうことができれば、手段としてテーブルに限定されるものではない。
【０１２４】
また、照明グループＧ１，Ｇ２，Ｇ３を基準にして照明の動作を管理しているが、利用者が操作要求する照明器具のグループを照明グループＧ１，Ｇ２，Ｇ３ではなく、エリアＡ１，Ａ２で選択しても同様の機能が実現できる。
【０１２５】
さらに、図７のテーブルではいずれかの照明グループが点灯していると、他の照明グループは点灯不可となるが、各照明グループ内の照明器具毎に管理可能であれば、例えば照明グループＧ１の点灯要求によって照明器具４１，４２を点灯させているときに、照明グループＧ２の点灯要求があると、照明グループＧ１と照明グループＧ２とで共有している照明器具４２は既に点灯しているので、照明器具４３を新たに点灯させることが可能となる。
【０１２６】
また、利用者から得られるＩＤ情報が同一である場合のみ、照明グループＧ１の点灯中に照明グループＧ２の点灯が可能となるというＩＤ情報に関する条件を考慮した判断も可能となる。
【０１２７】
このように、大きな施設等で複数の照明グループに分割した場合に生じる複雑な点灯制御に対応でき、利用者のニーズに柔軟に対応可能なシステムを実現できる。
【０１２８】
（実施形態１０）
本実施形態では、実施形態９の照明制御システムの消灯動作について説明する。実施形態９と同様の構成には同一の符号を付して説明は省略する。
【０１２９】
操作端末機３１〜３ｎには照明グループ、照明器具の各情報、および図９に示すような各照明グループの消灯可否を設定するテーブルが予め記憶されている。このテーブルは、現在点灯中の照明グループがある状態で、別の照明グループの消灯要求があった場合、その消灯要求による消灯の可能／不可能を示したものである。
【０１３０】
そして、利用者は、所定のＩＤ情報、また所定のＩＤ情報記録媒体を予め取得してから、利用登録したこのグランドに行き、操作端末機３１〜３ｎのうちいずれかの操作端末機（この場合、操作端末機３１とする）の入力部３ｃにて、ＩＤ情報を入力する、あるいはＩＤ情報記録媒体を投入するとともに、照明グループ選択スイッチ３ｆで操作する照明グループを選択し、照明器具操作スイッチ３ｅで照明器具の操作内容を選択する。
【０１３１】
操作端末機３１〜３ｎでは、利用登録されている利用者のＩＤ情報が予め記憶されており、操作端末機３１の判断部３ｇでは、入力部３ｃから入力されたＩＤ情報に対して、利用登録されているか否かをチェックを行ない、利用可能なＩＤ情報であれば、親機１は、照明グループの情報に基づいて選択した照明グループが操作内容の情報に基づいた動作を行なうように、通信線Ｌを介して照明制御部を制御する。例えば、照明グループＧ３を選択し、操作内容が点灯の場合、照明グループＧ３の点灯要求が発生し、照明グループＧ１の点灯操作をした利用者のＩＤ情報としてこのＩＤ情報を記憶するとともに、通信部３ａから通信線Ｌを介して他の操作端末機３２〜３ｎへ送信し、他の操作端末機３２〜３ｎでもこのＩＤ情報を照明グループＧ３の点灯操作をした利用者のＩＤ情報として記憶する。
【０１３２】
そして、利用者は最初エリアＡ１，Ａ２の全面を利用していたが、エリアＡ２の利用が早く終了して照明グループＧ２の消灯を行なうために、利用者は操作端末機３１〜３ｎのうちいずれかの操作端末機（この場合、操作端末機３ｎとする）の入力部３ｃにて、ＩＤ情報を入力する、あるいはＩＤ情報記録媒体を投入するとともに、照明グループ選択スイッチ３ｆで照明グループＧ２を選択し、照明器具操作スイッチ３ｅで消灯を選択する。操作端末機３ｎの判断部３ｇでは、入力部３ｃから入力されたＩＤ情報が、利用可能なＩＤ情報であり、且つ現在照明グループＧ３を点灯させている利用者のＩＤ情報と同一であれば、点灯している照明グループＧ３の照明器具４１，４２，４３のうち照明器具４３のみが消灯するように、通信線Ｌを介して照明制御部２３を制御する。照明制御部２１は、操作端末機３ｎからの指示にしたがって照明器具４３を消灯させる。
【０１３３】
また、例えば照明グループＧ３が点灯中に照明グループＧ１の消灯要求が発生した場合、判断部３ｇは図９のテーブルに基づいて照明器具４１のみ消灯させる。
【０１３４】
さらに、例えば照明グループＧ３の消灯中に照明グループＧ３の消灯要求が発生した場合、判断部３ｇは図９のテーブルに基づいて照明グループＧ３の消灯動作は行なわないが、実際は現状維持として照明グループＧ３は消灯を維持している。
【０１３５】
このように、大きな施設等で複数の照明グループに分割した場合に生じる複雑な消灯制御に対応でき、利用者のニーズに柔軟に対応可能なシステムを実現できる。
【０１３６】
なお、本実施形態では、テーブルに各照明グループの同時点灯可否の設定を記憶させているが、同様の判断動作を行なうことができれば、手段としてテーブルに限定されるものではない。
【０１３７】
また、照明グループＧ１，Ｇ２，Ｇ３を基準にして照明の動作を管理しているが、利用者が操作要求する照明器具のグループを照明グループＧ１，Ｇ２，Ｇ３ではなく、エリアＡ１，Ａ２で選択しても同様の機能が実現できる。
【０１３８】
なお、実施形態６乃至１０において、判断部３ｇを照明制御部２１〜２ｍに設けてもよい。
【０１３９】
（実施形態１１）
本実施形態では、利用者が照明制御システムを利用可能な時間範囲として、例えば、利用可能時間１７：００〜２２：００が設定されている。操作端末器３の構成として、入力部３ｃがテンキーで構成されている場合、１７：００〜２２：００の間ではＩＤ情報、その他の情報の入力のためテンキー入力を受け付ける。しかし、２２：００を過ぎると、次の利用可能時間である翌日の１７：００までテンキー入力を受け付けなくなる。
【０１４０】
上記動作を実現する操作端末器３の構成を図１６に示し、時間管理部３ｈを備える。実施形態１乃至５いずれかの構成では、この時間管理部３ｈは親機１によって一元的に管理され、例えば親機１から送信される１分毎の信号によって現在時刻がわかる。あるいは、親機１から利用可能時間か否かを示す信号を操作端末器３へ直接送信してもよい。
【０１４１】
また、実施形態６乃至１０いずれかのようにシステムに親機１が存在しない構成であれば、各操作端末器３の時間管理部３ｈにリアルタイムクロックや、電波時計受信回路等を設けることで、現在時刻がわかり、利用可能時間か否かを判断する。
【０１４２】
また、入力部３ｃとしてカード情報読み込み装置であるカードリーダを用いる場合、利用可能時間外ではカードリーダの入力を無効にする。
【０１４３】
さらに、本実施形態では、テンキーやカードリーダ等の入力部３ｃの一部、または全体を覆う扉やシャッターを保護部３ｉとして操作端末器３に備えており、利用可能時間外ではこれらの扉やシャッターを閉めることで、入力部３ｃをいたずら等から物理的に保護している。例えば、入力部３ｃの全体を覆う扉に、ソレノイドバルブを用いたロック手段を設けた場合、利用可能時間内ではソレノイドバルブによってロック手段をオープンして扉を開閉自在とし、利用可能時間外ではソレノイドバルブによってロック手段をクローズして扉が開かないようにしておく。ここで、オートロックドアのようにロック状態であっても閉めることができる構造であれば、入力部３ｃの操作中に利用可能時間が終了してソレノイドバルブによってロック手段がクローズしても、操作完了時に扉を閉めることができ、利用可能時間外では入力部３ｃを物理的に保護することができる。
【０１４４】
（実施形態１２）
本実施形態では、図１７に示すように操作端末機３に時間管理部３ｈと、外部装置制御部３ｊとを備えたもので、外部装置制御部３ｊは、照明器具以外の外部装置のオン・オフを制御するリレー等を備える。以下、外部装置としてグランドに入退場するためのゲートをソレノイドバルブのオン・オフによって施錠する施錠装置を例として説明する。なお、入力部３ｃは照明器具の点灯制御時の操作、および外部装置制御時の操作の両方を行うものとする。
【０１４５】
図１８は、照明制御システムの動作タイムチャートを示しており、時間Ｔ１，Ｔ２の操作不可時間では、入力部３ｃからの入力を無効にしたり、扉やシャッター等で入力部３ｃの操作を物理的に不可能にすることで照明器具の点灯制御およびゲートの施錠制御を行なうことはできない。時間Ｔ２ではゲートの施錠制御のみが可能になり、時間Ｔ３では照明器具の点灯制御およびゲートの施錠制御の両方が可能となる。
【０１４６】
このように時間毎に操作可能な機能を限定することで、誤って日中に点灯させてしまうといった誤操作を回避でき、利用者の使用性の向上を図ることができ、さらには電力の無駄な消費による電気代の増加を防ぐことができる。
【０１４７】
なお、外部装置としては上記ゲートに限定されるものではない。
【０１４８】
（実施形態１３）
本実施形態では、図１９に示すように操作端末機３に動作切替部３ｋを備えたもので、この動作切替部３ｋを切り替えることで、ＩＤ情報の入力なしに無条件で照明器具の操作が可能となる。例えば、利用者がＩＤ情報を失念した場合、入力部３ｃが故障した場合等に強制操作が可能となり、不具合時にも操作することができる。また動作切替部３ｋは、例えば操作端末機３が格納される盤の内部のように、通常、利用者が操作できる位置ではなく鍵が無ければ操作することができない位置に設けられる。
【０１４９】
あるいは、図２０に示すように照明制御部２に同様の動作切替部２ｄを備えてもよく、この場合も照明制御部２が格納される盤の内部のように、通常、利用者が操作できる位置ではなく鍵が無ければ操作することができない位置に設けられる。このような動作切替部２ｄを備えることで、通信線Ｌの断線等でシステムが正常に動作しなくなった場合でも、利用者が管理者に連絡し、管理者が現場に行って盤内部の動作切替部２ｄを操作することで、負荷制御部２ｃから照明器具４に強制的に電力供給することができる。なお、照明器具４は、点灯回路４ａとランプ４ｂとから構成され、点灯回路４ａからランプ４ｂに電力が供給される。
【０１５０】
システムの異常時の対策として遠隔操作のみであると、遠隔操作をするための専門知識を持ったオペレータを常勤させる必要があるが、このように鍵等で盤を開けて強制操作が可能であれば、専門知識を持たない守衛員等でも対応でき、不具合に対してより柔軟に対応できる。
【０１５１】
なお、本実施形態では、動作切替部による強制操作について説明したが、他にも時間管理の設定、あるいは施設の利用可能時間の設定等、各設定動作へ切り替えてもよい。
【０１５２】
（実施形態１４）
本実施形態の照明制御システムは、図２１に示すように、照明制御部２を照明器具４内に設けたもので、他の構成は実施形態１乃至１３いずれかと同様であり説明は省略する。
【０１５３】
照明器具４は、通信線Ｌに接続された照明制御部２と、点灯回路４ａと、ランプ４ｂとから構成され、点灯回路４ａからランプ４ｂに電力が供給される。
【０１５４】
照明制御部２は、通信部２ａと、制御部２ｂと、負荷制御部２ｃとで構成され、通信部２ａには通信線Ｌが接続されて、制御部２ｂには通信部２ａと負荷制御部２ｃとが接続されている。負荷制御部２ｃは、点灯回路４ａを介してランプ４ｂに供給する電力をオン・オフするブレーカやリレー等、およびこれらのブレーカやリレー等を駆動する手段とで構成される。
【０１５５】
このように照明制御部２を照明器具４内に設けても、実施形態１乃至１３と同様の動作が可能であり、同様の効果を奏し得る。
【図面の簡単な説明】
【０１５６】
【図１】本発明の実施形態１の照明制御システムの構成を示す図である。
【図２】同上の操作端末機の構成を示す図である。
【図３】本発明の実施形態２の照明制御システムの構成を示す図である。
【図４】同上の操作端末機の構成を示す図である。
【図５】本発明の実施形態３の操作端末機の構成を示す図である。
【図６】本発明の実施形態４の照明グループを示す図である。
【図７】同上の各照明グループの同時点灯可否を設定するテーブルを示す図である。
【図８】同上の操作端末機の構成を示す図である。
【図９】本発明の実施形態５の各照明グループの消灯可否を設定するテーブルを示す図である。
【図１０】本発明の実施形態６の照明制御システムの構成を示す図である。
【図１１】同上の操作端末機の構成を示す図である。
【図１２】本発明の実施形態７の照明制御システムの構成を示す図である。
【図１３】同上の操作端末機の構成を示す図である。
【図１４】本発明の実施形態８の操作端末機の構成を示す図である。
【図１５】本発明の実施形態９の操作端末機の構成を示す図である。
【図１６】本発明の実施形態１１の操作端末機の構成を示す図である。
【図１７】本発明の実施形態１２の操作端末機の構成を示す図である。
【図１８】同上の動作タイムチャートを示す図である。
【図１９】本発明の実施形態１３の操作端末機の構成を示す図である。
【図２０】同上の照明制御部の構成を示す図である。
【図２１】本発明の実施形態１４の照明器具の構成を示す図である。
【符号の説明】
【０１５７】
１  親機
２１  照明制御部
３１〜３ｎ  操作端末機
４１  照明器具
Ｌ  通信線
【図１】
2006164619.tif 000003
【図２】
2006164619.tif 000004
【図３】
2006164619.tif 000005
【図４】
2006164619.tif 000006
【図５】
2006164619.tif 000007
【図６】
2006164619.tif 000008
【図７】
2006164619.tif 000009
【図８】
2006164619.tif 000010
【図９】
2006164619.tif 000011
【図１０】
2006164619.tif 000012
【図１１】
2006164619.tif 000013
【図１２】
2006164619.tif 000014
【図１３】
2006164619.tif 000015
【図１４】
2006164619.tif 000016
【図１５】
2006164619.tif 000017
【図１６】
2006164619.tif 000018
【図１７】
2006164619.tif 000019
【図１８】
2006164619.tif 000020
【図１９】
2006164619.tif 000021
【図２０】
2006164619.tif 000022
【図２１】
2006164619.tif 000023